(57)【要約】      （修正有）【課題】津波などの水害に遭った際に、使用者の全身を覆って密閉し、使用者に、耐衝撃、呼吸用の空気確保、浮力増大、防寒などの効果を提供する救命具に、人体に装着するための装着部を設けた救命具を提供する。【解決手段】使用者の人体に着装して使用する救命具であって、膨張性または展開性を有する、互いが接する面で隙間なく固着された複数の浮き袋１を設け、各浮き袋の逆支弁１３に気体を充填するための空気層を全部または一部の浮き袋で共有するためのパイプ、仕切り１４、浮き袋を設けるとともに、浮き袋に、水の浸入または手動で上記浮き袋に膨張用または展開用の気体を送り込む気体充填装置を取り付け、気体充填装置または浮き袋または仕切りまたはパイプまたはチャックまたはジッパーまたは開口部を使用者の人体に装着するための装着部を設けた救命具。【選択図】図４
2014124955.tif 000002
【特許請求の範囲】
【請求項１】
使用者が複数の浮き袋で構成された袋の内部に移動して使用する救命具であって、膨張性または展開性を有する、互いが接する面で隙間なく固着された上記複数の浮き袋と、各浮き袋に気体を充填するための空気層を形成する仕切りと、当該仕切りで囲まれた空間、各浮き袋に通じる逆止弁を通じて上記複数の浮き袋に空気を送り込む気体充填装置とを有し、上記袋の内部への水の侵入を防ぐための、チャック、ジッパーもしくはのりを使用し、または浮き袋の膨張を利用する入り口部分を設けた救命具。
【請求項２】
上記の浮き袋と空気層とに空気が充填されないとき、上記の浮き袋、仕切り、逆止弁、気体充填装置および入り口部分が、使用者が身にまとって運搬できるように変形できることを特徴とする請求項１に記載の救命具。
【請求項３】
請求項２の救命具に使用者の人体の肩にかける紐を設け、その紐が人体および装着部からずれ落ちるのを防ぐための肩紐止めを設けた救命具。
【請求項４】
請求項２又は請求項３の救命具に気体充填装置を収納するためのポケットを設けた救命具。
【請求項５】
請求項２〜請求項４の何れか１つに記載の救命具において、人の腕や足の形の袋を１重または２重以上に重ねた構造を設けた救命具。
【請求項６】
請求項２〜請求項５の何れか１つに記載の救命具において、人の腕や足または人の腕や足の形の袋を、浮き袋によって打撲などの危険が小さくなっている領域に収納するための１または複数の浮き袋を設けた救命具。
【請求項７】
請求項２〜請求項６の何れか１つに記載の救命具に、使用者を収納する空気室の圧力を低下させないため、または、使用者の呼吸のための空気を通し、水を通さないフィルターを設けた救命具。
【請求項８】
請求項２〜請求項７の何れか１つに記載の救命具で、膨張又は展開時の救命具の重心を安定させ、開口部やフィルターの位置を重力方向と逆向きに向かせるために、膨張又は展開時に使用者の足を収納する部分を設けた救命具。
【請求項９】
請求項１〜請求項８の何れか１つに記載の救命具で、浮き袋を覆う網状の紐やロープを備えた固定部とその先端に巻きつけて固定するためのロープを設けた救命具。
【発明の詳細な説明】
【技術分野】
【０００１】
津波などの水害に遭った際に、使用者の全身を覆って密閉し、使用者に、耐衝撃、呼吸用の空気確保、浮力増大、防寒などの効果を提供する救命具に関する
【背景技術】
【０００２】
上記技術分野の救命具の性能の評価基準として、上記技術分野の救命具の性能の他に、重量、収納時の体積、使用時の耐久性、収納状態から使用にかかる時間などが挙げられる。
【０００３】
この内、耐久性と収納状態から使用にかかる時間に重点が置かれたものとして、特許文献１にて開示されている防水救命容器を挙げることができる。この発明では、人が入れる大きさの容器を住居や施設に常設する必要がある。また、避難時に携帯することは難しい。
【０００４】
特許文献１と比較して、重量と収納時の体積に重点を置いたものとして、特許文献２の救命具を挙げることができる。特許文献２の発明は本発明に近く、本発明は特許文献２の内容を踏襲したものである。
【０００５】
一般的に、気体充填装置を使用した浮き袋を主体とした折りたたみ式の救命具は特許文献１の防水容器に比べ、耐久性の面で問題があると言える。一方、特許文献２の発明の最大の価値は耐久性についての工夫にある。例えばこの発明を１００個の浮き袋で実現した場合、１つの浮き袋の表面に傷が入ったとしても、残りの９９個は性能を保つことになる。また、各浮き袋について共有の空気層を作ることで、逆支弁を並列に配置していることに成功している。浮き袋の数を増やすことによって飛躍的に耐久性を向上させることができるが、浮き袋の展開する時間がそれによって長くなることはなく、生じるリスクは逆支弁の数と浮き袋の面積が増えることによる重量増加のみである。
【先行技術文献】
【特許文献】
【０００６】
【特許文献１】特許公開２００６−２５６５６３
【特許文献２】特許公開２００７−１２６１１３
【発明の概要】
【発明が解決しようとする課題】
【０００７】
課題１．特許文献２の救命具は津波の被害から避難する際に携帯することが可能であるが、いくつか問題がある。一つは使用時に腰まで海水が迫っていた場合には、展開時に海水や海水の流れが救命具を展開する障害になり、仮に展開できたとしても、海水が救命具内部に浸入してしまうという点である。一つは、救命具内部に移動して密閉状態を完成させるまでに時間がかかるため、救命具の使用を決定してから準備を完了するまでに水害の影響を受けやすいという点である。一つは、避難時に救命具を他人に取られる可能性があるという点である。本発明は、津波などの水害に遭った際に、使用者の全身を覆って密閉し、使用者に、耐衝撃、呼吸用の空気確保、浮力増大、防寒などの効果を提供する救命具に、人体に装着するための装着部を設けた救命具を提供することを目的とする。
【０００８】
課題２．特許文献１と特許文献２の発明では、津波に流された場合には沖合いに流された場合には発見されるまで、救命具内に持ち込むことができた水や食料を消費して、気候の影響にも耐える必要がある。特許文献１の発明は、津波の被害を受けた場合には、使用者を覆って密閉したまま海上に流されるという問題に関して、ロープを使用した対処法が提示されている。しかしながら、本発明の浮き袋にロープを固定したとしても固定部が破損して剥がれ落ち、ロープの役目を果たさない可能性がある。
【課題を解決するための手段】
【０００９】
請求項１記載の発明は、使用者が複数の浮き袋で構成された袋の内部に移動して使用する救命具であって、膨張性または展開性を有する、互いが接する面で隙間なく固着された上記複数の浮き袋と、各浮き袋に気体を充填するための空気層を形成する仕切りと、当該仕切りで囲まれた空間、各浮き袋に通じる逆止弁を通じて上記複数の浮き袋に空気を送り込む気体充填装置とを有し、上記袋の内部への水の侵入を防ぐための、チャック、ジッパーもしくはのりを使用し、または浮き袋の膨張を利用する入り口部分を設けたことを特徴とする。
【００１０】
請求項２記載の発明は、請求項１の救命具で、上記の浮き袋と空気層とに空気が充填されないとき、上記の浮き袋、仕切り、逆止弁、気体充填装置および入り口部分が、使用者が身にまとって運搬できるように変形できることを特徴とする。
【００１１】
請求項３記載の発明は、請求項２の救命具に使用者の人体の肩にかける紐を設け、その紐が人体および装着部からずれ落ちるのを防ぐための肩紐止めを設けたことを特徴とする。
【００１２】
請求項４記載の発明は、請求項２又は請求項３の救命具に気体充填装置を収納するためのポケットを設けたことを特徴とする。
【００１３】
請求項５記載の発明は、請求項２〜請求項４の何れか１つに記載の救命具において、人の腕や足の形の袋を１重または２重以上に重ねた構造を設けたことを特徴とする。
【００１４】
請求項６記載の発明は、請求項２〜請求項５の何れか１つに記載の救命具において、人の腕や足または人の腕や足の形の袋を、浮き袋によって打撲などの危険が小さくなっている領域に収納するための１または複数の浮き袋を設けたことを特徴とする。
【００１５】
請求項７記載の発明は、請求項２〜請求項６の何れか１つに記載の救命具において、使用者を収納する空気室の圧力を低下させないため、または、使用者の呼吸のための空気を通し、水を通さないフィルターを設けたことを特徴とする。
【００１６】
請求項８記載の発明は、請求項２〜請求項７の何れか１つに記載の救命具において、膨張又は展開時の救命具の重心を安定させ、開口部やフィルターの位置を重力方向と逆向きに向かせるために、膨張又は展開時に使用者の足を収納する部分を設けたことを特徴とする。
【００１７】
請求項９記載の発明は、請求項１〜請求項８の何れか１つに記載の救命具において、浮き袋を覆う網状の紐やロープを備えた固定部とその先端に何かに巻きつけて固定するためのロープを設けたことを特徴とする。
【発明の効果】
【００１８】
請求項１の発明によれば、使用者が複数の浮き袋で構成された袋の内部に移動して使用する救命具であって、膨張性または展開性を有する、互いが接する面で隙間なく固着された上記複数の浮き袋と、各浮き袋に気体を充填するための空気層を形成する仕切りと、当該仕切りで囲まれた空間、各浮き袋に通じる逆止弁を通じて上記複数の浮き袋に空気を送り込む気体充填装置とを有し、上記袋の内部への水の侵入を防ぐための、チャック、ジッパーもしくはのりを使用し、または浮き袋の膨張を利用する入り口部分を設けているので、津波などの水害に遭った際に、使用者の全身を覆って密閉し、使用者に、耐衝撃、呼吸用の空気確保、浮力増大、防寒などの効果を提供する救命具を軽量化することができ、使用者が救命具の使用を決断してから短い時間で内部に侵入し、密閉状態を作ることができる。
【００１９】
請求項２の発明によれば、請求項１の救命具に上記の浮き袋と空気層とに空気が充填されないとき、上記の浮き袋、仕切り、逆止弁、気体充填装置および入り口部分が、使用者が身にまとって運搬できるように変形できることを特徴としているので、救命具内部に移動して密閉状態を完成させるまでに時間を短縮でき、救命具の使用を決定してから準備を完了するまでに水害の影響を受けにくくすることができる。さらに、身にまとって運搬することにより、避難時に救命具を他人に取られる可能性を少なくすることができる。
【００２０】
請求項３の発明によれば、請求項２の救命具に使用者の人体の肩にかける紐を設け、その紐が人体および装着部からずれ落ちるのを防ぐための肩紐止めを設けているので、使用者が素早く救命具を装着することができる。
【００２１】
請求項４の発明によれば、請求項２又は請求項３の救命具に気体充填装置を収納するためのポケットを設けているので、短い時間で装着部に気体充填装置を収納でき、使用者の人体の重心の近くに気体充填装置を配置することによって移動時の使用者の負担を小さくすることができる。
【００２２】
請求項５の発明によれば、請求項５記載の発明は、請求項２〜請求項４の何れか１つに記載の救命具において、人の腕や足の形の袋を１重または２重以上に重ねた構造を設けたので、救命具を装着した状態で手を使ったり、靴を履くことができる。
【００２３】
請求項６の発明によれば、請求項２〜請求項５の何れか１つに記載の救命具において、人の腕や足または人の腕や足の形の袋を、浮き袋によって打撲などの危険が小さくなっている領域に収納するための１または複数の浮き袋を設けているので、津波に流されたとき、人の腕や足または人の腕や足の形の袋を、浮き袋によって打撲などの危険が小さくなっている領域に収納し、使用者の打撲などによる怪我や浸水の危険を小さくすることができる。
【００２４】
請求項７の発明によれば、請求項２〜請求項６の何れか１つに記載の救命具に、使用者を収納する空気室の圧力を低下させないため、または、使用者の呼吸のための空気を通し、水を通さないフィルターを設けているので、少ない気体充填量、すなわち、軽量な気体充填装置で救命具を膨張または展開することができ、使用者が呼吸する空気を確保することができる。
【００２５】
請求項８の発明によれば、請求項２〜請求項７の何れか１つに記載の救命具で、膨張又は展開時の救命具の重心を安定させ、開口部やフィルターの位置を重力方向と逆向きに向かせるために、膨張又は展開時に使用者の足を収納する部分を設けているので、フィルターを使用する場合には、最小限のフィルターで最大の効果を発揮することができ、開口部が完全な密閉ではなく、かつ、救命具が水面から大気に接触している場合には開口部から水が流入する危険を小さくすることができる。
【００２６】
請求項９によれば、請求項1〜請求項8の何れか１つに記載の救命具で、浮き袋を覆う網状の紐やロープを備えた固定部とその先端に何かに巻きつけて固定するためのロープを設けているので、救命具とロープを固定する固定部が破損して剥がれ落ち、ロープの役目を果たさない危険性を避けることができ、陸地に救命具を固定することができる。
【図面の簡単な説明】
【００２７】
【図１】本発明の第１の実施形態に係る救命具の断面図である。
【図２】本発明の第２の実施形態に係る救命具の外観正面図である
【図３】本発明の第２の実施形態に係る救命具の断面図である。
【図４】本発明の第２の実施形態に係る救命具の断面図である。
【図５】本発明の第３の実施形態に係る救命具の正面から見た断面図である。
【図６】本発明の第３の実施形態に係る救命具を横から見た断面図である。
【図７】本発明の第３の実施形態に係る救命具の正面から見た断面図である。
【図８】本発明の第３の実施形態に係る救命具の横から見た断面図である。
【図９】本発明の第５の実施形態に係る救命具の正面から見た断面図である。
【図１０】本発明の第５の実施形態に係る救命具の正面から見た断面図である
【図１１】本発明の第５の実施形態に係る救命具の側面から見た断面図である。
【図１２】本発明の第６の実施形態に係る救命具の外観を示す斜視図である。
【発明を実施するための形態】
【００２８】
(第１の実施形態)
図１は、請求項１に示した本発明の第1実施形態に係る救命具の断面図であり、浮き袋の膨張後の図を示す。
図１において、符号１は浮き袋、符号２はガスボンベ、符号１１はチャック、符号１２はジッパー、符号１３は逆支弁、符号１４は仕切り、符号１５は共有層、符号２１は引き紐、符号２２は送気管である。
【００２９】
本実施形態では、救命具は、人が出入りする開口部にチャック１１とジッパー１２を備え、仕切り１４などによって構成される共有層１５から逆支弁13を介して気体が充填されるように接続された複数の浮き袋１と、ガス弁を開閉する開封機構を作動させる引き紐２１を備え、共有層１５にガスを送り込むための送気管２２の一方の端部が連結されたガスボンベ２からなる。
また、送気管２２の他方の端部は、仕切り１４に連結されている。
【００３０】
本実施形態では、特許文献２の水難緊急浮遊救命具のように、緊急的水難災害時に於いて短時間で簡単に身体の廻りに浮遊体を作ることができるような救命具を提供する。特許文献２の水難緊急浮遊救命具では、浮遊体の中に身体を入れる際の出入り口である開口部に、進入戸を備えることで密閉空間を構成しているが、本実施形態では、チャックやジッパーやのりを使用する、または、浮き袋の膨張を利用することによって、短時間で閉じることができて、密閉性の高い開口部を実現している。
【００３１】
図１では、浮き袋１は使用者を覆いつくすように配置されているものとし、開口部を閉じることによって、使用者のいる空間を密閉することができるものとする。
図１の断面図では、１９個の浮き袋１を表示しているが、それらが膨張時にバランス良く配置されるようになっておれば浮き袋の数は問わない。また、図１では描かれていないが、浮き袋の膨張を利用して、開口部を閉じる方法も考えられる。この方法は、浮き袋１が膨張したときに開口部を閉じる方法であり、使用者の操作が必要ないため、使用者がいる空間を短い時間で密閉することが可能になる。
浮き袋1は救命具の外側に向けて高伸縮性または高展開性を有している必要がある。ただし、内側に向けて浮き袋１が膨張し、内部の使用者の体を危険にさらす可能性に注意する必要がある。具体的な対策方法として、救命具内部に面する、または浮き袋１同士が接する部分の浮き袋１の材料を低伸縮性のものにするという方法が挙げられる。
【００３２】
（第２の実施形態）
図２〜図４は、請求項２と請求項３に係る救命具である。
図２はその外観正面図、図３および図４はその断面図である。また、図２は浮き袋を膨張させる前の図を、図３は浮き袋を膨張させる直前の図を、図４は浮き袋を膨張させた後の図を示す。
図２〜図４において、図１に示す第１の実施形態と同じ機能の要素には、便利のために同じ符号を付すようにした。なお、符号３は装着部、符号１６は足袋、符号１７は肩紐、符号１８は手動展開部、符号３１はポケット、符号３２は肩紐止めである。
【００３３】
この実施形態での、救命具の装着方法について解説する。使用者は、まず、装着部３を体に装着する。次に、装着部に備え付けてあるポケット３１にガスボンベ２を入れる。次に、のりや耐久度の低い袋などを用いて、ズボンのような形状にまとめた膨張前の浮き袋１をはいて、肩紐１７を両肩にかける。これで、移動時の状態が完成し、図２のようになる。使用者は、この状態でバイクや自転車などの移動手段を使用することによって、より安全な避難が可能になる。
【００３４】
この実施形態での、救命具の展開方法について解説する。まず、図２の状態で、手動展開部１８を広げて、上半身を覆い、チャック１１やジッパー１２を閉める。次に、ガスボンベ２の開封機構を作動させるための引き紐２１を引く。引き紐２１を引くという動作で浮き袋１に気体が充填され、図４のような状態になる。
【００３５】
足袋１６は図２〜図４では一重だが、二重以上の複数であってもよい。ただし、使用者は移動時に足袋１６をつけた状態で靴を履く必要があるので、ある程度コンパクトである必要がある。
肩紐１７の両端は手動展開部１８でない部分の浮き袋１に接続されている。
手動展開部１８は図２のような収納時から、図３のように手動で展開する機構である。移動時においては、開口部と肩紐１７の両端が接続されている浮き袋１をマジックテープ（商標登録）などの仮止め手段で固定し、水が腰まで浸かっているような状況でも救命具の内側は濡れないようにする。
【００３６】
ポケット３１はガスボンベ２を収納するためのものである。ガスボンベ２を固定するために、マジックテープ（商標登録）などの固定する手段を用いてもよいが、ガスボンベ２を収納する際に障害にならないように注意が必要である。
肩紐止め３２は肩紐１７がずれ落ちないようにするためのものである。
【００３７】
（第３の実施形態）
図５、図６は、本発明の請求項４に係る救命具である。
図５はその正面から見た断面図、図６は横から見た断面図である。図５、図６は浮き袋１の膨張後の図を示す。
図５、図６において、図１〜図４に示す第１の実施形態および第２の実施形態と同じ機能の要素には、便利のために同じ符号を付すようにした。なお、符号１９は袋である。袋１９は使用者の足と足袋が救命具の外に出ないように、使用者の体を押し上げるためのものである。図５において、袋１９は使用者の体と離れているが、実際には密着している。
【００３８】
第３の実施形態について説明する。第２の実施形態では、海上などの、短時間での救出な場合においては、かなり窮屈な環境で救出されるのを待つことになる。そこで、第３の実施形態では、膨張後の浮き袋１の集合が装着者を覆う球に近い形をなすようになるような装置を提供する。この実施形態では、使用者の足と足袋１６が浮き袋１の集合によって打撃や摩擦から守られている領域から外に出ないように、袋１９を膨張させることによって使用者の身体を持ち上げている。
第３の実施形態の短所は、必要なガスボンベの充填量が、第２の実施形態で必要なガスボンベの充填量よりも多いということである。
【００３９】
（第４の実施形態）
図７、図８は、請求項４に係る救命具である。
図７はその正面から見た断面図、図８は横から見た断面図である。図７、図８は浮き袋１の膨張後の図を示す。
図７、図８において、図１〜図６に示す第１の実施形態および第２の実施形態および第３の実施形態と同じ機能の要素には、便利のために同じ符号を付すようにした。なお、符号１１０は筒である。筒１１０は膨張時に大気から救命具の内部へ空気を供給するためのものである。
【００４０】
第４の実施形態について説明する。第３の実施形態では、共有層または使用者の身体がある空間へ大量の気体を充填する必要があった。これを緩和するために、第４の実施形態では、大気から使用者の身体がある空間に、気体を取り込む送気管として、筒１１０を備えた装置を提供する。図面には表記していないが、浮き袋1の膨張後に水が使用者の身体がある空間に浸入にないように蓋を備える必要がある。また、筒１１０に気体を通し、液体を通さないフィルターを設置するなどの、液体の浸入を自動的に防ぐ機構が考えられる。また、重力を利用して、筒１１０が使用者から見て真上付近、すなわち、水が浸入しにくい位置にある場合のみ気体を通す機構が考えられる。
【００４１】
(第５の実施形態)
図９、図１０、図１１は第５の実施形態に係る救命具である。
図９、図１０はその正面から見た断面図、図１１はその側面から見た断面図である。図９、図１０、図11は浮き袋１の膨張後の図を示す。また、図９は収縮袋が収縮する前の図であり、図１０は収縮袋が収縮した後の図である。
【００４２】
第５の実施形態について説明する。第４の実施形態では、救命具の重心が、救命具のほぼ中心にくるように設計されている。しかし、比較的耐水性の低い救命具の開口部が使用者の頭上にあることを考慮すると、救命具の重心は、救命具の中心よりも開口部と逆向きよりにあることが望ましい。また、第４の実施形態では、膨張時に大気と救命具が接触する部分が特定できないために、分散させた場所に多数の筒１１０が必要であったが、救命具の重心が安定させることができれば、開口部付近に筒１１０を配置すればよいことになる。これらを考慮して、第５の実施形態は、使用者の足を格納する部分を設計した。しかし、第３の実施形態のような足を収納する部分は、海上などでの遭難時に使用者の快適さを損なう。そこで、海上などで遭難した場合、救命具が膨張した後に、比較的使用者が快適な状態になるよう救命具を変形するための可動袋１１１、可動袋１１１を段階的に操作するための収縮袋１１２を備えた。なお、図面には表記していないが、可動袋１１１、収縮袋１１２を実現するためには、使用者の周りを単純に浮き袋１で覆うだけではなく、可動袋１１１の可動範囲を確保するためのあそびが必要である。
【００４３】
（第６の実施形態）
図１２は、請求項９に係る救命具である。
図１２はその外観を示す斜視図である。図９は浮き袋１の膨張後の図を示す。
なお、符号４１は網、符号４２はロープ、符号４３はナスカン、符号４４は輪、符号４５はロープ収納袋、符号４６は可動部である。
【００４４】
第６の実施形態について説明する。第１の実施形態〜第５の実施形態の救命具では、津波に流された場合には沖合いに流された場合には発見されるまで、救命具内に持ち込むことができた水や食料を消費して、気候の影響にも耐える必要がある。特許文献１の発明は、津波の被害を受けた場合には、使用者を覆って密閉したまま海上に流されるという問題に関して、ロープを使用した対処法が提示されている。しかしながら、本発明の浮き袋にロープを固定したとしても固定部が破損して剥がれ落ち、ロープの役目を果たさない可能性がある。この問題に対処するため、第５の実施形態では、本発明の浮き袋を覆う網状の紐やロープを備えた固定部とロープと、ロープの先を固定する部分を備えた救命具を提供する。
【符号の説明】
【００４５】
1  浮き袋
２  ガスボンベ
３  装着部
１１  チャック
１２  ジッパー
１３  逆支弁
１４  仕切り
１５  共有層
１６  足袋
１７  肩紐
１８  手動展開部
１９  袋
１１０  筒
１１１  可動袋
１１２  収縮袋
２１   引き紐
２２  送気管
３１  ポケット
３２  肩紐止め
４１  網
４２  ロープ
４３  ナスカン
４４  輪
４５  ロープ収納袋
４６  可動部
【図１】
2014124955.tif 000003
【図２】
2014124955.tif 000004
【図３】
2014124955.tif 000005
【図４】
2014124955.tif 000006
【図５】
2014124955.tif 000007
【図６】
2014124955.tif 000008
【図７】
2014124955.tif 000009
【図８】
2014124955.tif 000010
【図９】
2014124955.tif 000011
【図１０】
2014124955.tif 000012
【図１１】
2014124955.tif 000013
【図１２】
2014124955.tif 000014